【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
複数本の中空糸膜を束ねた膜束と、前記膜束を収容する筒状体と、前記膜束の原水流出側の端部を前記筒状体に固定する原水流出側固定部と、原水を前記原水流出側固定部の近傍から流出させる原水流出ノズルと、前記膜束の原水流入側の端部を前記筒状体に固定する原水流入側固定部と、原水を前記流入側固定部の近傍から流入させる原水流入ノズルを有し、前記筒状体の内部に供給される原水を前記中空糸膜の外側から内側に透過させる中空糸膜モジュールであって、
前記原水流出側固定部は、
前記原水が接触する原水流出側表面に少なくとも１つの溝を有し、
前記原水流入側固定部は、
前記原水が接触する原水流入側表面に複数の貫通スリットと、
前記貫通スリットと略平行に延びて固定される複数の膜束部と、
を有することを特徴とする中空糸膜モジュール。
【請求項２】
前記原水流出側固定部の溝の少なくとも一部は、前記原水流出ノズルに連通されていることを特徴とする請求項１に記載の中空糸膜モジュール。
【請求項３】
前記原水流出側固定部の溝の少なくとも一部は、前記原水流出ノズルに向かう傾斜面を有することを特徴とする請求項１または２に記載の中空糸膜モジュール。
【請求項４】
前記筒状体は、前記原水流出ノズルと前記原水流入ノズルの近傍に多数の孔を形成し、かつ前記原水流入ノズルに対向する面には孔を形成しない、多孔構造を有することを特徴とする請求項１から３のいずれか一項に記載の中空糸膜モジュール。
【請求項５】
前記原水流出側固定部と前記原水流入側固定部は、前記膜束の端部を樹脂により前記筒状体の多孔構造に固定することを特徴とする請求項４に記載の中空糸膜モジュール。
【請求項６】
前記筒状体の両端部に接続されるカバーと、
前記筒状体の径方向外側または内側に配置され、前記筒状体と前記カバーとの間をシールするシール部材と、
をさらに備えたことを特徴とする請求項１から５のいずれか一項に記載の中空糸膜モジュール。
【請求項７】
前記シール部材を収容するシール部材収容部を有することを特徴とする請求項６に記載の中空糸膜モジュール。
【手続補正２】
【補正対象書類名】明細書
【補正対象項目名】００１３
【補正方法】変更
【補正の内容】
【００１３】
本発明によれば、中空糸膜の破損や疎水化によるフラックスの低下を低減することができる中空糸膜モジュールが提供される。この中空糸膜モジュールは、複数本の中空糸膜を束ねた膜束と、上記膜束を収容する筒状体と、上記膜束の原水流出側の端部を上記筒状体に固定する原水流出側固定部と、原水を上記原水流出側固定部の近傍から流出させる原水流出ノズルと、上記膜束の原水流入側の端部を上記筒状体に固定する原水流入側固定部と、原水を上記流入側固定部の近傍から流入させる原水流入ノズルを備えている。上記筒状体の内部に供給された原水は上記中空糸膜の外側から内側に透過される。上記原水流出側固定部は、上記原水が接触する原水流出側表面に少なくとも１つの溝を有し、上記原水流入側固定部は、上記原水が接触する原水流入側表面に複数の貫通スリットと、上記貫通スリットと略平行に延びて固定される複数の膜束部とを有している。
【手続補正３】
【補正対象書類名】明細書
【補正対象項目名】００１７
【補正方法】変更
【補正の内容】
【００１７】
中空糸膜が汚染された場合に行われる空気洗浄などにおける物理的洗浄性に優れ、長期にわたって安定した濾過を行うことができる中空糸膜モジュールを提供するようにしてもよい。この中空糸膜モジュールは、複数本の中空糸膜を束ねた膜束と、上記膜束を収容する筒状体と、原水が供給される側の上記膜束の端部を上記筒状体に固定する固定部とを備えている。上記筒状体の内部に供給された原水は上記中空糸膜の外側から内側に透過される。上記固定部は、複数の貫通スリットと、上記貫通スリットと略平行に延びて固定される複数の膜束部とを有している。
【手続補正４】
【補正対象書類名】明細書
【補正対象項目名】００１８
【補正方法】変更
【補正の内容】
【００１８】
中空糸膜が汚染された場合に行われる空気洗浄などにおける物理的洗浄性に優れ、長期にわたって安定した濾過を行うことができる中空糸膜モジュールを提供するようにしてもよい。この中空糸膜モジュールは、複数本の中空糸膜を束ねた膜束と、上記膜束を収容する筒状体と、原水が供給される側の上記膜束の端部を上記筒状体に固定する固定部とを備えている。上記筒状体の内部に供給された原水は上記中空糸膜の外側から内側に透過される。上記固定部は、等間隔で略直線状に固定されて平板状膜を形成する複数の膜束部と、上記膜束部と略平行に延びる複数の貫通スリットとを有している。
【手続補正５】
【補正対象書類名】明細書
【補正対象項目名】００１９
【補正方法】変更
【補正の内容】
【００１９】
中空糸膜が汚染された場合に行われる空気洗浄などにおける物理的洗浄性に優れ、長期にわたって安定した濾過を行うことができる中空糸膜モジュールを提供するようにしてもよい。この中空糸膜モジュールは、複数本の中空糸膜を束ねた膜束と、上記膜束を収容する筒状体と、原水が供給される側の上記膜束の端部を上記筒状体に固定する固定部とを備えている。上記筒状体の内部に供給された原水は上記中空糸膜の外側から内側に透過される。上記固定部は、互いに略平行な複数の貫通スリットと、互いに隣り合う上記貫通スリットの間に位置し、上記貫通スリットと略平行に延びて固定される複数の膜束部とを有している。
【手続補正６】
【補正対象書類名】明細書
【補正対象項目名】００２０
【補正方法】変更
【補正の内容】
【００２０】
中空糸膜が汚染された場合に行われる空気洗浄などにおける物理的洗浄性に優れ、長期にわたって安定した濾過を行うことができる中空糸膜モジュールを提供するようにしてもよい。この中空糸膜モジュールは、複数本の中空糸膜を束ねた膜束と、上記膜束を収容する筒状体と、原水が供給される側の上記膜束の端部を上記筒状体に固定する固定部とを備えている。上記筒状体の内部に供給された原水は上記中空糸膜の外側から内側に透過される。上記固定部は、互いに略平行に延びる複数の貫通スリットと、互いに隣り合う上記貫通スリットの間に位置し、上記隣り合う貫通スリットの少なくとも一方の全長にわたって延びて固定される複数の膜束部とを有している。
【手続補正７】
【補正対象書類名】明細書
【補正対象項目名】００２５
【補正方法】変更
【補正の内容】
【００２５】
原水の急速な流れの流速を抑えることができ、中空糸膜に直接原水が接触することによる中空糸膜の破損を防止することができる中空糸膜モジュールを提供するようにしてもよい。この中空糸膜モジュールは、複数本の中空糸膜を束ねた膜束と、上記膜束を収容する筒状体と、上記膜束の少なくとも１つの端部を上記筒状体に固定する固定部とを備えている。上記筒状体の内部に供給された原水は上記中空糸膜の外側から内側に透過される。上記中空糸膜モジュールは、上記筒状体と上記膜束との間で上記筒状体の周方向に延びる通路と、上記筒状体の接線方向に延び、上記原水を上記通路に流入させる原水流入ノズルとを備えている。
【手続補正８】
【補正対象書類名】明細書
【補正対象項目名】００２６
【補正方法】変更
【補正の内容】
【００２６】
原水の急速な流れの流速を抑えることができ、中空糸膜に直接原水が接触することによる中空糸膜の破損を防止することができる中空糸膜モジュールを提供するようにしてもよい。この中空糸膜モジュールは、複数本の中空糸膜を束ねた膜束と、上記膜束を収容する筒状体と、上記膜束の少なくとも１つの端部を上記筒状体に固定する固定部とを備えている。上記筒状体の内部に供給された原水は上記中空糸膜の外側から内側に透過される。上記中空糸膜モジュールは、上記筒状体の接線方向に延び、流路の断面積が一定となるように上記筒状体の長手方向に向かって次第に広がる流路を有する原水流入ノズルを備えている。